(57)【特許請求の範囲】
【請求項１】
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、室外側から室内側に向かう方向に関して立ち上がる下部段差面と、
床あるいは梁の鉄筋あるいはコンクリートに固定され前記止水構造体を固定するとともに前記サッシ枠を支持するための支持部材を挿通させるための貫通孔と、を有することを特徴とするサッシ下部の止水構造体。
【請求項２】
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、室外側から室内側に向かう方向に関して立ち上がる下部段差面と、
床あるいは梁の鉄筋あるいはコンクリートに固定され前記止水構造体を固定するとともに前記サッシ枠を支持するための支持部材に固定するための金具と、を有することを特徴とするサッシ下部の止水構造体。
【請求項３】
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、室外側から室内側に向かう方向に関して立ち上がる下部段差面と、
前記止水構造体に固定された、床あるいは梁の鉄筋あるいはコンクリートに固定され前記サッシ枠を支持するための支持部材と、を有することを特徴とするサッシ下部の止水構造体。
【請求項４】
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、シール部材を収納してシールを形成するためのシール溝と、
床あるいは梁の鉄筋あるいはコンクリートに固定され前記止水構造体を固定するとともに前記サッシ枠を支持するための支持部材を挿通させるための貫通孔と、を有することを特徴とするサッシ下部の止水構造体。
【請求項５】
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、シール部材を収納してシールを形成するためのシール溝と、
床あるいは梁の鉄筋あるいはコンクリートに固定され前記止水構造体を固定するとともに前記サッシ枠を支持するための支持部材に固定するための金具と、を有することを特徴とするサッシ下部の止水構造体。
【請求項６】
前記上部段差面はその室内側の端辺がほぼ水平な面に続き、前記水平な面の室内側の端辺は室外側から室内側に向かう方向に関して下がる面に続き、前記上部段差面と前記水平な面と前記室外側から室内側に向かう方向に関して下がる面は上方に突出する上部突起部を形成することを特徴とする請求項１〜５のいずれかに記載のサッシ下部の止水構造体。
【請求項７】
前記下部段差面はその室内側の端辺がほぼ水平な面に続き、前記水平な面の室内側の端辺は室外側から室内側に向かう方向に関して下がる面に続き、前記下部段差面と前記水平な面と前記室外側から室内側に向かう方向に関して下がる面は下部凹部を形成することを特徴とする請求項１〜３のいずれかに記載のサッシ下部の止水構造体。
【請求項８】
前記下部凹部は空気抜き孔を有することを特徴とする請求項７に記載のサッシ下部の止水構造体。
【請求項９】
コンクリートまたは樹脂の一体成型物からなることを特徴とする請求項１〜８のいずれかに記載のサッシ下部の止水構造体。
【請求項１０】
内部に空洞部を有することを特徴とする請求項１〜９のいずれかに記載のサッシ下部の止水構造体。
【請求項１１】
水切面が予め表面仕上げされ、あるいは被覆部材が貼着されていることを特徴とする請求項１〜１０のいずれかに記載のサッシ下部の止水構造体。
【発明の詳細な説明】
【０００１】
【発明の属する技術分野】
本発明は、集合住宅等におけるバルコニーに面した掃き出しサッシ、あるいは窓用サッシの下部の止水構造に関する。特に、施工が容易で、且つ、サッシ下部からの浸水を防止することができる止水構造体に関する。
【０００２】
【従来の技術】
コンクリート建造物、たとえば集合住宅等におけるバルコニーに面した掃き出しサッシや窓用のサッシは、床のコンクリートスラブの打設が完了した後に、サッシの枠を固定し、サッシの枠の下側の部材と床のコンクリートスラブの間の空間にモルタルを詰めるようにしていた。
【０００３】
従来のサッシの下部の構造を図７を用いて説明する。図７は通常のサッシ枠の下部構造をサッシのレールに関して垂直な面で切断した断面図示している。
【０００４】
図７において、符号５０は床のコンクリートスラブ５０を示しており、その床のコンクリートスラブ５０の上方にサッシ枠の下側部材５１がある。
【０００５】
サッシ枠の下側部材５１は２つのレール５１ａ，５１ｂを有しており、室内側から室外側に向かって段をなして下がる断面形状を有している。サッシ枠の下側部材５１のもっとも室外側の部分には、サッシの脱落を防止する上向きに突出したガイド５１ｃと、雨水等の進入を防止する下向きに突出した垂下片５１ｄが設けられている。
【０００６】
サッシ枠の下側部材５１は、取付金具５２に取り付けられており、その取付金具５２は支持部材５３によって床のコンクリートスラブ５０から支持されている。支持部材５３は、図７の例では下端がアンカーボルトになっており、床のコンクリートスラブ５０に固定されているが、取付金具５２を支持できる限り任意の支持形態をとることができる。
【０００７】
サッシ枠の下側部材５１の室内側の床下にあたる部分には桟５４が設けられており、桟５４の頂部には巾木５５が設けられている。巾木５５の室内側の端部は図示しない床に接し、一方の巾木５５の室外側の端部はサッシ枠の下側部材５１に接している。
【０００８】
床のコンクリートスラブ５０とサッシ枠の下側部材５１と桟５４と巾木５５によって囲まれた空間にはモルタル５６が充填されている。
【０００９】
モルタル５６の上面であって、サッシ枠の下側部材５１から室外側に突出している部分５７は、室外側に向かって下り傾斜している傾斜面に形成され、雨水等を室外のバルコニー等に流すための水切面５７となっている。水切面５７の上面には、板金、タイル等の被覆部材５８が設けられている。
【００１０】
モルタル５６の下面のもっとも室外側のバルコニー等の接する箇所はシール部材５９によってシールされている。
【００１１】
上記従来のサッシ下部の止水構造によれば、モルタル５６の上から屋内に進入する水に対しては、サッシ枠の下側部材５１の垂下片５１ｄから被覆部材５８上に落ち、水切面５７の傾斜によってバルコニー等に排出される。
【００１２】
一方、モルタル５６の下から屋内に進入する水に対しては、シール部材５９が水の進入を阻止し、浸水を防止することができる。
【００１３】
【発明が解決しようとする課題】
しかしながら、従来のサッシ下部の止水構造は、施工が困難であった。
【００１４】
従来は上述したようにサッシ枠の下側部材５１と床のコンクリートスラブ５０の間にモルタル５６を充填するが、モルタル５６を充填するには床のコンクリートスラブ５０の表面から離れた位置にサッシ枠の下側部材５１を支持しなければならない。また、サッシ枠の下側部材５１の室外側からモルタルを充填するが、モルタルを充填すべき空間は室内側にゆけばゆくほど広がるので、充填すべき空間の上部にモルタルを行き渡らせるのは困難である。このため、充填が不十分となってサッシ枠の下側部材５１の下方が空洞になる不具合が生じることがある。
【００１５】
また、従来のサッシ下部の止水構造によれば、施工後の初期の段階では、上述したようにシール部材５９が床のコンクリートスラブ５０とモルタル５６の間の隙間に水が進入するのを防止することができるが、長い期間が経過した後は、モルタル５６や床のコンクリートが収縮し、あるいは、シール部材５９が劣化し、モルタル５６と床のコンクリートスラブ５０の間に隙間ができることがある。このため、雨水等がモルタル５６と床のコンクリートスラブ５０の隙間を通って屋内側に進入することがある。
【００１６】
屋内側に進入した水は、施工時のサポート部材６０（図７参照）に接触し、サポート部材６０を腐食させ、さらには床のコンクリートスラブ５０中の鉄筋６１（図７参照）にも接触し、鉄筋６１をも腐食させることがある。
【００１７】
このように、従来のサッシ下部の止水構造では長期間の使用によって種々の不具合を生じることがある。
【００１８】
このような長期間の使用による浸水を防止するために、床のコンクリートスラブと一体型の止水用の堤を設けることがある。
【００１９】
図８は、床のコンクリートスラブと一体型の止水用堤の構造を示している。図８においては、図７と同一の部分に同一の符号を付して説明を省略する。
【００２０】
図８に示すように、このサッシ下部の止水構造は、床のコンクリートスラブと一体型の止水堤６２を有している以外は図７の止水構造と同様の構造を有している。
【００２１】
止水堤６２は、床のコンクリートスラブと一体的に形成されている。すなわち、止水堤６２は、床のコンクリートスラブ５０のコンクリート打設時に同時に一体的に打設されるのである。
【００２２】
この床のコンクリートスラブと一体型の止水堤６２によれば、仮に長期間の時間経過によってモルタル５６が収縮し、モルタル５６と床のコンクリートスラブ５０との間に隙間ができても、止水堤６２が壁となって雨水等が屋内に浸入するのを防止することができる。
【００２３】
しかし、この従来の床のコンクリートスラブと一体型の止水堤６２は、施工が困難であった。
【００２４】
図９は、床のコンクリートスラブと一体型の止水堤６２の施工時の型枠の支持方法を示している。
【００２５】
床のコンクリートスラブ５０と一体的にコンクリート打設するために、床のコンクリートスラブ５０の下面にあたる部分に型枠６３を設け、型枠６３にサポート部材６０を立て、サポート部材６０の上に横木の型枠６４を置き、横木の型枠６４によって垂直板の型枠６５を支持する。
【００２６】
このように、止水堤６２を形成するための垂直板の型枠６５はその支持する基点（サポート部材６０の基端）から高い位置に支持される。
【００２７】
このような型枠を「浮き型枠」と呼び、浮き型枠は空中の所定位置に型枠を正確かつ堅固に支持することが困難であり、これを要求通りに行うためには多くの工数を必要とする。
【００２８】
このため、床のコンクリートスラブと一体型の止水堤６２の利点にもかかわらず、実際には施工が困難であるために採用するのが困難であった。
【００２９】
そこで、本発明が解決しようとする課題は、施工が容易で、かつ、長い期間が経過した後も浸水を防止することができるサッシ下部の止水構造体を提供することにある。
【００３０】
【課題を解決するための手段】
本願請求項１に係るサッシ下部の止水構造体は、
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、室外側から室内側に向かう方向に関して立ち上がる下部段差面と、
床あるいは梁の鉄筋あるいはコンクリートに固定され前記止水構造体を固定するとともに前記サッシ枠を支持するための支持部材を挿通させるための貫通孔と、を有することを特徴とする。
【００３１】
本願請求項２に係るサッシ下部の止水構造体は、
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、室外側から室内側に向かう方向に関して立ち上がる下部段差面と、
床あるいは梁の鉄筋あるいはコンクリートに固定され前記止水構造体を固定するとともに前記サッシ枠を支持するための支持部材に固定するための金具と、を有することを特徴とする。
【００３２】
本願請求項３に係るサッシ下部の止水構造体は、
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、室外側から室内側に向かう方向に関して立ち上がる下部段差面と、
前記止水構造体に固定された、床あるいは梁の鉄筋あるいはコンクリートに固定され前記サッシ枠を支持するための支持部材と、を有することを特徴とする。
【００３３】
上記請求項１〜３のサッシ下部の止水構造体は「先付式の止水構造体」である。「先付式の止水構造体」とは、床のコンクリートスラブのコンクリート打設前に設置する止水構造体である。
【００３４】
請求項１〜３の止水構造体によれば、貫通孔（請求項１）あるいは金具（請求項２）に支持部材の一端部を固定し、請求項３の予め固定された支持部材を含めて支持部材の他端部を床や梁の鉄筋に固定することにより、型枠を要することなく止水構造体を空中に支持することができる。これにより、床と梁と止水構造体とを含めて一体的にコンクリートを打設することができ、複雑かつ困難な型枠作業を必要としない。
【００３５】
また、本発明によれば、止水構造体の上面と下面に、室外側から室内側に向かう方向に関して立ち上がる浸水防止用の段差面を設けているので、止水構造体と打設コンクリートの間に万一隙間ができたとしても、段差面が室内側に雨水等が進入することを防止することができる。
【００３６】
本願請求項４に係るサッシ下部の止水構造体は、
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、シール部材を収納してシールを形成するためのシール溝と、
床あるいは梁の鉄筋あるいはコンクリートに固定され前記止水構造体を固定するとともに前記サッシ枠を支持するための支持部材を挿通させるための貫通孔と、を有することを特徴とする。
【００３７】
本願請求項５に係るサッシ下部の止水構造体は、
全体として長い形状を有し、サッシ枠の下方に前記サッシ枠の下側の部材の全長にわたって前記サッシ枠の下側部材とほぼ並行になるように配置されるコンクリート建造物のサッシの下部の止水構造体であって、
前記止水構造体の上面にその長さ方向に沿って連続的に設けられ、室外側から室内側に向かう方向に関して立ち上がる上部段差面と、
前記止水構造体の下面にその長さ方向に沿って連続的に設けられ、シール部材を収納してシールを形成するためのシール溝と、
床あるいは梁の鉄筋あるいはコンクリートに固定され前記止水構造体を固定するとともに前記サッシ枠を支持するための支持部材に固定するための金具と、を有することを特徴とする。
【００３８】
上記請求項４または請求項５のサッシ下部の止水構造体は「後付式の止水構造体」である。「後付式の止水構造体」とは、床のコンクリートスラブのコンクリート打設後に設置する止水構造体である。
【００３９】
請求項４または請求項５の止水構造体においては、床から突出するように支持部材を設けて床のコンクリートスラブを打設し、あるいは床のコンクリートスラブを打設した後に床に支持部材を立設し、しかる後に止水構造体を配置し、支持部材と緊結手段によって止水構造体を床に対して圧着させる。止水構造体を床に圧着させることにより、シール溝のシール部材が床との間にシールを形成し、止水構造体と床との間の隙間から水が屋内に進入するのを長期間にわたって防止することができる。
【００４０】
また、本発明によれば、成型された止水構造体を床面に配置し、ナット等の緊結手段を締め付ければ止水構造体が床に固定され、その後に止水構造体の上にサッシ枠の下側部材を固定する工法が採れるので、サッシ部分の施工がきわめて簡単である。
【００４１】
本願請求項６に係るサッシ下部の止水構造体は、請求項１〜５の止水構造体において、
前記上部段差面はその室内側の端辺がほぼ水平な面に続き、前記水平な面の室内側の端辺は室外側から室内側に向かう方向に関して下がる面に続き、前記上部段差面と前記水平な面と前記室外側から室内側に向かう方向に関して下がる面は上方に突出する上部突起部を形成することを特徴とするものである。
【００４２】
本願請求項７に係るサッシ下部の止水構造体は、請求項１〜３のいずれかの止水構造体において、
前記下部段差面はその室内側の端辺がほぼ水平な面に続き、前記水平な面の室内側の端辺は室外側から室内側に向かう方向に関して下がる面に続き、前記下部段差面と前記水平な面と前記室外側から室内側に向かう方向に関して下がる面は下部凹部を形成することを特徴とするものである。
【００４３】
本発明の上部突起部と下部凹部は上部段差面と下部段差面とを有し、それらの段差面によって雨水等の進入を防止することができる。
【００４４】
本願請求項８に係るサッシ下部の止水構造体は、請求項７の止水構造体において、
前記下部凹部は空気抜き孔を有することを特徴とするものである。
【００４５】
本発明によれば、下部凹部に入り込んだ空気が空気抜き孔から抜け、下部凹部の内部にコンクリートが行き渡る。
【００４６】
本願請求項９に係るサッシ下部の止水構造体は、請求項１〜８のいずれかの止水構造体において、
コンクリートまたは樹脂の一体成型物からなることを特徴とするものである。
【００４７】
本願請求項１０に係るサッシ下部の止水構造体は、請求項１〜９のいずれかの止水構造体において、
内部に空洞部を有することを特徴とするものである。
【００４８】
本発明によれば、止水構造体の軽量化が図られ、施工の容易さがさらに向上する。
【００４９】
本願請求項１１に係るサッシ下部の止水構造体は、請求項１〜１０の止水構造体において、
水切面が予め表面仕上げされ、あるいは被覆部材が貼着されていることを特徴とするものである。
【００５０】
本発明によれば、止水構造体の設置後に水切面の左官仕上げの作業を行う必要がなく、施工がさらに容易になる。
【００５１】
【発明の実施の形態】
次に本発明の実施の形態について以下に説明する。
【００５２】
図１は、本発明の一実施形態によるサッシ下部の止水構造体を示している。
【００５３】
本実施形態の止水構造体は「先付式の止水構造体」である。「先付式止水構造体」とは、床や梁のコンクリートの打設前に設置する止水構造体のことである。
【００５４】
図１は本実施形態による止水構造体の長さ方向に垂直な横断面における止水構造体の断面を示している。ここで、「長さ方向」というのは、本発明による止水構造体は一方向に延び、横断面がほぼ同一形状となるような長い立方形状をしている場合の、その止水構造体の長い立方形状における長さの方向をいう。
【００５５】
本発明の止水構造体は、サッシ枠の下方にサッシ枠の下側の部材とほぼ並行になるように配置されるが、これは長さ方向がサッシ枠の下側の部材とほぼ平行になるように配置されるということである。
【００５６】
図１に示すように、本実施形態の止水構造体１は、床のコンクリートスラブ２の上、かつ、サッシ枠の下側部材３の下方に配置されている。
【００５７】
止水構造体１は、概略上方向に面した上面４と、概略下方向に面した下面５と、室外側に面した外面６と、室内側に面した内面７とを有している。
【００５８】
止水構造体１は、一体成型物には限られないが、好ましくはコンクリートまたは樹脂の一体成型物からなる。一体成型物ならば、その内部を通って水が室内側に進入するのを防止することができるからである。
【００５９】
止水構造体１は、好ましくは内部に空洞部８を有している。空洞部８を有することにより、軽量化することができるからである。
【００６０】
止水構造体１の上面４の外面６に近い部分すなわち室外側寄りの部分には、室内側から室外側に向かって傾斜する水切面９が設けられている。水切面９は必須ではないが、平滑であり、かつ、美しい外観を有しているように予め加工することにより、後に表面の左官仕上げ作業を行う必要がないようにすることができる。また、水切面９に予めタイル等を貼り付けておくこともできる。
【００６１】
止水構造体１の上面４の一部、図１の例では水切面９の室内側の端辺（以下「内端」という）に隣接する部分は、室外側から室内側に向かう方向に関して立ち上がる浸水防止用の上部段差面１０に形成されている。さらに、図１に示すように、上部段差面１０の内端に続いてほぼ水平な凸部頂面１１が形成され、凸部頂面１１の内端に続いて室外側から室内側に向かう方向に関して立ち下がる傾斜面１２が形成され、傾斜面１２の内端に続いて水平面１３が形成されている。
【００６２】
一方、止水構造体１の下面５においては、もっとも室外に近いの部分に、室外側から室内側に向かって下り傾斜しているオーバーハング面１４が形成され、オーバーハング面１４の内端に続いてほぼ垂直な垂直面１５が形成され、垂直面１５の下端につづいてほぼ水平な第１脚部底面１６が形成され、第１脚部底面１６の内端に続いて室外側から室内側に向かう方向に関して立ち上がる浸水防止用の下部段差面１７が形成され、下部段差面１７に続いてほぼ水平な凹部底面１８が形成され、凹部底面１８の内端に続いて室外側から室内側に向かう方向に関して立ち下がる傾斜面１９が形成され、傾斜面１９の内端に続いてほぼ水平な第２脚部底面２０が形成されている。
【００６３】
第１脚部底面１６と第２脚部底面２０には、少なくとも一つの溝２１が形成されている。溝２１は、その間に床のコンクリートスラブ２が入り込むことにより、水が進入するのをさらに困難にし、かつ、止水構造体１と床のコンクリートスラブ２の接着の度合いを高くするためのものである。
【００６４】
また本実施形態の止水構造体１には、支持部材を挿通させるための貫通孔２２が設けられている。
【００６５】
貫通孔２２には、支持部材の一例としてボルト２３が挿通されている。支持部材はボルトに限られず任意の棒状の部材とすることができる。
【００６６】
貫通孔２２の上部開口にはシール材２４が配設され、ボルト２３の上端には固定用の緊結手段、ナット２５が螺着されている。また同様に、貫通孔２２の下部開口にはシール材２４が配設され、固定用のナット２５（緩み防止のために図の例では２つのナット２５を使用しているが一つでもよい）がボルト２３に螺着されている。
【００６７】
ボルト２３の下端部は、床のコンクリートスラブ２の内部の鉄筋２６に固定されている。固定の方法は、図１の例では溶接であるが、溶接に限られず取付治具を使用してもよい。また、固定箇所は複数でもよい。また、ボルト２３は長さ方向に好ましくは複数本設けられており、横断方向に関しては図１の例では一本のみが設けられているが、複数本設けられていてもよい。
【００６８】
ボルト２３の上端部は、必要な中間部材２７を介してサッシ枠の下側部材３の取付金具２８に固定されている。固定の方法は、溶接に限られず取付治具によってもよい。
【００６９】
取付金具２８にはサッシ枠の下側部材３を挟持する爪が形成されており、サッシ枠の下側部材３は取付金具２８の爪によって把持されている。
【００７０】
止水構造体１の内面７には、内面７に接するように桟２９が設けられている。
【００７１】
桟２９の上には、巾木３０が設けられている。巾木３０は横方向の一方においては図示しない室内の床に続き、横方向の他方においては図１に示すようにサッシ枠の下側部材３に接している。
【００７２】
サッシ枠の下側部材３にはサッシを案内する複数のレール３ａが形成されており、室内側から室外側に向かって段をなして下がる形状を有している。サッシ枠の下側部材３のもっとも室外側では、サッシの脱落を防止するために上向きのガイド３ｂが形成され、さらに雨水等を切るために下向きの垂下片３ｃが形成されている。
【００７３】
止水構造体１の上面の上部段差面１０と凸部頂面１１と傾斜面１２は、止水構造体１の長さ方向に延びる上部突起部３１を形成している。
【００７４】
上部突起部３１は、その上部段差面１０がサッシ枠の下側部材３の垂下片３ｃの内側に入り込むように配設されている。これにより、雨水等の外部から進入する水は、上部段差面１０を乗り越えなければ室内側に進入することができないようになっている。垂下片３ｃの下端部と止水構造体１の水切面９の間にはシール部材３２が設けられ、雨水等が浸入しないようにその間の隙間を密封している。
【００７５】
止水構造体１の下面は、下部段差面１７と凹部底面１８と傾斜面１９が下部凹部３３を形成している。
【００７６】
下部凹部３３は、その凹所（凹部の内部の空間）に床のコンクリートスラブ２が入り込むことによって、床のコンクリートスラブ２による突起部を形成する。突起部は下部段差面１７と相補的な関係にあり、下部段差面１７とそれに相補関係にある対応する面は「室外側から室内側に向かう方向に関して立ち上がる傾斜面」を形成する。
【００７７】
本実施形態において、下部凹部３３はその両側に第１脚部３４と第２脚部３５を形成する。
【００７８】
第１脚部３４と第２脚部３５は床のコンクリートスラブ２の内部に入り込むよになっている。
【００７９】
オーバーハング面１４と垂直面１５とバルコニー等のコンクリートスラブ２の表面の間にはシール部材３６が詰められている。オーバーハング面１４の傾斜はシール部材３６を詰めやすいものにすることができる。
【００８０】
下部凹部３３は、その凹所にコンクリートが入り込みやすいように、空気抜き孔３７が設けられるのが好ましい。
【００８１】
さらに下部凹部３３は、その凸部頂面１１に凹凸を設けて、水の進入をさらに困難にし、且つ、床のコンクリートスラブ２との接着を強固にすることができる。
【００８２】
止水構造体１の上面とサッシ枠の下側部材３と桟２９と巾木３０の間の空間には、モルタル３８が詰められている。
【００８３】
以上が止水構造体１の構成である。次に止水構造体１の作用について説明する。
【００８４】
本実施形態の止水構造体１によれば、施工後に雨水等が室内側に浸入することを防止することができる。しかも、長い時間の経過後にモルタルやコンクリートが収縮した場合であっても浸水防止の効果は変わらない。これは以下の理由によるものである。
【００８５】
雨水が室外から室内側に進入するには、止水構造体１の上面に沿って進入するルートと止水構造体１の下面に沿って進入するルートが考えられる。本実施形態の止水構造体１によれば、止水構造体１の上面に沿って進入するルートにおいて、上部段差面１０が室外側から室内側に向かう方向に関して立ち上がる面になっているので、水はこれを越えて室内側に進入することができない。また、長い時間の経過によってシール部材３２やモルタル３８が収縮し、止水構造体１との間に隙間ができた場合であっても、上部段差面１０が水の進入を防止することができるので、長い期間の経過後にも浸水防止の機能を果たし続けることができる。
【００８６】
また、止水構造体１の下面に沿って進入するルートにおいて、下部段差面１７が室外側から室内側に向かう方向に関して立ち上がる面になっているので、水がこれを越えて室内側に進入することがない。これにより、上部段差面１０の場合と同様に、長い時間の経過によってシール部材３６やコンクリートスラブ２が収縮し止水構造体１との間に隙間ができた場合であっても、下部段差面１７が水の進入を防止することができるのである。
【００８７】
さらに、水が上部段差面１０や下部段差面１７を越えて室内側に進入することがないので、それらより内側に配置されているボルト２３や鉄筋２６が水に接触することなく、水によってそれらが腐食されることがないという利点を有する。
【００８８】
次に、本実施形態の止水構造体１によれば、施工が非常に容易であることについて説明する。
【００８９】
図２は、本実施形態の止水構造体１を用いた施工の一つの段階を示している。
【００９０】
本実施形態の止水構造体１は先付式の止水構造体である。「先付式」とは前述したとおり、床や梁のコンクリート打設前に設置し、床や梁と同時にコンクリート打設を行うものである。図２は先に止水構造体１を設置した状態を示している。
【００９１】
図２に示すように、本実施形態の止水構造体１を用いる場合、床や梁のための型枠３９を設け、鉄筋２６を配設し、鉄筋２６にボルト２３を固定し（図の例では溶接による固定であるが、取付治具によって固定してもよい）、ボルト２３の上部に止水構造体１を固定する。
【００９２】
止水構造体１の固定は、ボルト２３を止水構造体１の貫通孔２２に貫通させ、上下両側からナット２５で締め付けることによって止水構造体１を固定することができる。符号４０はコンクリートの打設高さ４０を示している。
【００９３】
図２に示すように、本実施形態の止水構造体１を用いれば、型枠３９に関して止水構造体１を空中の所定位置に保持することができ、従来のような浮き型枠を設けることなく、コンクリートを打設することができるのである。
【００９４】
図３にコンクリート打設後の止水構造体１の施工方法を示す。
【００９５】
図３に示すように、床のコンクリートスラブ２のコンクリート打設後は、ボルト２３の上端に中間部材２７を取り付け、その中間部材２７の上端部にサッシ枠の取付金具２８を取り付ける。続いて取付金具２８にサッシ枠の下側部材３を取り付け、桟２９と巾木３０を設置する。
【００９６】
次に、止水構造体１とサッシ枠の下側部材３と桟２９と巾木３０に囲まれた空間にモルタル３８を充填し、図３には示していないが図１のシール部材３２，３６を設ければ施工が完了する。
【００９７】
その場合に、止水構造体１の水切面９が予め美しい外観に仕上げられていれば、あるいは、タイル等を予め貼着していれば、水切面９の左官仕上げの作業も省くことができる。この場合はシール部材３２，３６を充填すればサッシ下の工事を完了することができる。
【００９８】
コンクリート打設後は、型枠３９を撤去すれば、前述したように止水構造体１が床のコンクリートスラブ２と一体となって雨水等の浸入を防止することができるのである。
【００９９】
このように、本実施形態の止水構造体１によれば、浮き型枠のような困難な作業がなく簡単に施工でき、且つ、施工後は雨水等の進入を防止することができ、コンクリートやモルタルやシール材の経年変化が生じても、止水構造体１の形状によって屋内への雨水等の進入を防止でき、さらに、雨水等の浸入による鉄筋等の腐食を防止することができる。
【０１００】
図４は、図２，３における型枠さえも必要としない施工方法を示している。
【０１０１】
図４の施工方法は、ＰＣコンクリートパネル（プレキャストコンクリートパネル）を併用した場合の施工方法である。
【０１０２】
本施工方法では、型枠３９（図２参照）の代わりに、ＰＣ壁パネル４１とＰＣ床パネル４２を使用する。図４に示すように、ＰＣ壁パネル４１の上端部にＰＣ床パネル４２の端部を載せ、それらが型枠の役割を果たすようにする。
【０１０３】
ボルト２３は、図示のように、下端部がアンカーボルトのようになってＰＣ壁パネル４１の上端部に固定するようにする。または、ボルト２３の下端部に接着用の板材を設け、ＰＣ壁パネル４１の頂面に接着するようにしてもよい。あるいは、ボルト２３を鉄筋２６に溶接するようにしてもよい。
【０１０４】
このようにすることにより、図２の場合と同様に、浮き型枠を必要とすることなく、止水構造体１を保持することができ、止水構造体１と床のコンクリートスラブを一体的にコンクリートを打設することができるのである。コンクリート打設後は図３の場合と同様にサッシ枠と桟２９と巾木３０を設置し、モルタル３８を充填して施工を完成することができる。
【０１０５】
この施工方法によって得られるサッシ下部の止水構造においても、図１〜３と全く同様に施工後に雨水等の進入を阻止し、コンクリートやモルタルやシール材が経年変化しても、止水構造体１の形状によって屋内への雨水等の進入を防止でき、さらに、雨水等の浸入による鉄筋等の腐食を防止することができる。しかも、施工時には、型枠の設置や撤去の作業が省かれるのでさらに施工を容易にすることができる。
【０１０６】
本実施形態による先付式の止水構造体は、図１に示すような断面形状に限定されるものではない。
【０１０７】
たとえば、図１の止水構造体１はその上面において、上部段差面１０と凸部頂面１１と傾斜面１２とが上部突起部３１を形成しているが、上部段差面１０と凸部頂面１１のみが存在し、上部突起部３１を形成せずに上部段差面１０による段差部のみを形成するようにしてもよい。
【０１０８】
また、止水構造体１の下面においても、図１の止水構造体１は下部段差面１７と凹部底面１８と傾斜面１９とが下部凹部３３を形成しているが、下部段差面１７と凹部底面１８のみが存在し、下部凹部３３を形成せずに下部段差面１７による段差部のみを形成するようにしてもよい。
【０１０９】
その場合の作用効果と上述したものと全く同じである。
【０１１０】
また、以上で説明した止水構造体１は、止水構造体１とボルト２３を別々の部品にして建設現場で組み立てることを前提に説明したが、工場等で予めボルト２３を止水構造体１に植設し、止水構造体１とボルト２３を一体の製品とすることもできる。このように予め支持部材を止水構造体１に固定した製品では、止水構造体１から突出した支持部材の他端を鉄筋２６等に固定することにより止水構造体１を支持することができる。この場合の作用効果も上述したものと全く変わらない。
【０１１１】
次に後付式の止水構造体について説明する。
【０１１２】
「後付式止水構造体」とは、床や梁のコンクリート打設後に設置する止水構造体のことである。
【０１１３】
図５は後付け式の止水構造体の一実施形態を示している。図５は図１と同様に、長さ方向に垂直な横断面における止水構造体の断面を示している。
【０１１４】
図５においては、図１と同一部分については同一の符号を付して重複する説明を省略する。
【０１１５】
図５に示す実施形態の止水構造体４３は、下面５の形状が図１の止水構造体１と異なること、および、固定の方法が図１の止水構造体１のそれと異なることを除いて図１の止水構造体１と同様の構成を有している。
【０１１６】
本実施形態の止水構造体４３の下面５は、ほぼ水平な平面からなり、シール部材を収納してシールを形成するためのシール溝４４が少なくとも一つ形成されている。シール溝４４の内部には圧縮されることによって床のコンクリートスラブ２の表面に密着しシールを形成する圧縮弾力性のシール部材４５が収納されている。「圧縮弾力性」とは、圧縮された状態で弾力性を有し、隙間が緩められると復元して圧縮状態、すなわち圧縮力を維持する性質をいう。
【０１１７】
本実施形態の止水構造体４３は、ボルト２３を貫通させ、貫通孔２２から突出したボルト２３の上端部にナット２５を螺着させ、ナット２５を締め込むことにより、止水構造体４３の下面５が床のコンクリートスラブ２に接近し、下面５が床のコンクリートスラブ２に接する前にシール部材４５が床のコンクリートスラブ２の表面に圧着され、シールが形成される。
【０１１８】
なお、ボルト２３は、図５に例示するように鉄筋２６に固定されていてもよいし、あるいは、ボルト２３の下端がアンカーボルトになっており、床のコンクリートスラブ２に固定されるようにしてもよい。
【０１１９】
本実施形態の止水構造体４３によれば、図１の止水構造体１と同様に、雨水等が止水構造体４３の上面に沿って進入するルートにおいて、上部段差面１０が室外側から室内側に向かう方向に関して立ち上がる面になっているので、これを越えて水が室内側に進入することがない。また、長い時間の経過によってシール部材３２やモルタル３８が収縮して止水構造体４３との間に隙間ができた場合であっても同様に水の進入を防止し続けることができる。
【０１２０】
また、止水構造体４３の下面に沿って進入するルートにおいては、シール部材４５が床のコンクリートスラブ２との間でシールを形成しているので、水の進入を防止することができる。また、長い時間の経過によってシール部材３６やコンクリートスラブ２が収縮し止水構造体４３との間に隙間ができた場合であっても、シール部材４５が弾力的に床のコンクリートスラブ２の表面に圧着されているので、シール部材４５が隙間の広がりを吸収し、長期間にわたって水の進入を防止することができる。
【０１２１】
本実施形態の止水構造体４３によれば、床のコンクリートスラブ２のコンクリート打設前に止水構造体４３を設置することがなく、従来のように床のコンクリートスラブ２のコンクリート打設の作業を独立して行うことができる。しかも、本実施形態の止水構造体４３は、床のコンクリートスラブ２のコンクリート打設後に止水構造体４３を置いてナット２５を締め付ければよい。さらに、設置した止水構造体４３上にサッシ枠を取り付けることができる。これは、従来の施工方法のように床のコンクリートスラブ２とサッシ枠の下側部材３の間にモルタルを充填する作業に比してきわめて簡単に施工することができる。
【０１２２】
このように後付式の止水構造体は先付式のものに比べれば、工事の手順が単純化されるという利点を有する。
【０１２３】
なお、本実施形態においても上部段差面１０のみが存在すればよく、上部突起部３１がない断面形状もあり得る。
【０１２４】
次に、本発明の他の実施形態によるサッシ下部の止水構造体について説明する。
【０１２５】
図６は本発明の他の実施形態によるサッシ下部の止水構造体４６を示している。図６においては、図５と同一の部分については同一の符号を付して重複する説明を省略する。
【０１２６】
図６の止水構造体４６は、支持部材を挿通させて止水構造体を固定するための貫通孔を有していない代わりに支持部材を固定するための固定金具４７を有している。その他の点においては図５の止水構造体４３と同様の構成を有している。
【０１２７】
固定金具４７は、図６の例では形鋼からなり、予め止水構造体４６に固定されているのが好ましい。
【０１２８】
本実施形態の止水構造体４６は、床のコンクリートスラブ２の打設後に止水構造体４６を設置し、固定金具４７にボルト２３を挿通させ、ボルト２３の上端からナット２５で締め込む。ナット２５を締め込むことによってシール溝４４内のシール部材４５が床のコンクリートスラブ２の表面に圧着され、床のコンクリートスラブ２との間にシールを形成する。止水構造体４６の上面において上部段差面１０が水の進入を防止することは図１と図４の止水構造体と全く同様である。
【０１２９】
なお、図６は固定金具４７を後付式の止水構造体に使用した場合を示しているが、固定金具４７を図１〜図４の先付式の止水構造体１に適用することができる。その場合は、固定金具４７を上下からナット等を用いて挟持することによって止水構造体を支持することができる。
【０１３０】
固定金具４７を先付式の止水構造体に適用すれば先付式の止水構造体の作用効果を奏し、後付式の止水構造体に適用すれば後付式の止水構造体の作用効果を奏することは明らかである。
【０１３１】
なお、固定金具４７は図６に示した形鋼に限られず、止水構造体４６とボルト２３を連結することができる限り任意の公知のものとすることができる。
【０１３２】
【発明の効果】
以上の説明から明らかなように、本発明のサッシ下部の止水構造体によれば、室外側から室内側に向かう方向に関して立ち上がる上部段差面と下部段差面、あるいは圧縮弾力性のシール部材とを有していることにより、施工後の初期段階のみならず、長い期間が経過してコンクリートやモルタルが収縮し、あるいはシール部材が劣化した場合であって、屋内への水の進入を防止することができる。
【０１３３】
さらに、本発明のサッシ下部の止水構造体によれば、先付式のものは浮き型枠のような困難な作業を要することなく床のコンクリートスラブと一体的にコンクリート打設することができ、また、後付式のものは床のコンクリートスラブのコンクリート打設と独立して施工でき、かつ、床のコンクリートスラブの上に固定すればよいのでサッシ枠を支持した状態で床とサッシ枠の間にモルタルを充填するという困難な作業を省略することができるので、施工作業を大幅に容易にすることができる。
【０１３４】
さらに、水切面が予め仕上げられている止水構造体の場合には、現場における仕上げのための左官作業をも省略することができる。
【図面の簡単な説明】
【図１】  本発明の一実施形態によるサッシ下部の止水構造体の断面図。
【図２】  本発明の一実施形態によるサッシ下部の止水構造体の施工の一つの段階を示した説明図。
【図３】  本発明の一実施形態によるサッシ下部の止水構造体のコンクリート打設後の施工方法を示した説明図。
【図４】  本発明の一実施形態によるサッシ下部の止水構造体の型枠を必要としない施工方法を示した説明図。
【図５】  本発明の他の実施形態によるサッシ下部の止水構造体の断面図。
【図６】  本発明のさらに他の実施形態によるサッシ下部の止水構造体の断面図。
【図７】  従来のサッシの下部の構造を示した断面図。
【図８】  従来の床のコンクリートスラブと一体型の止水用堤の構造を示した断面図。
【図９】  床のコンクリートスラブと一体型の止水堤の施工時の型枠の支持方法を示した説明図。
【符号の説明】
１ 止水構造体
２ 床のコンクリートスラブ
３ サッシ枠の下側部材
３ａ レール
３ｂ ガイド
３ｃ 垂下片
４ 上面
５ 下面
６ 外面
８ 空洞部
９ 水切面
１０ 上部段差面
１１ 凸部頂面
１２ 傾斜面
１３ 水平面
１４ オーバーハング面
１５ 垂直面
１６ 第１脚部底面
１７ 下部段差面
１８ 凹部底面
１９ 傾斜面
２０ 第２脚部底面
２１ 溝
２２ 貫通孔
２３ ボルト
２４ シール材
２５ ナット
２６ 鉄筋
２７ 中間部材
２８ 取付金具
２９ 桟
３０ 巾木
３１ 上部突起部
３２ シール部材
３３ 下部凹部
３４ 第１脚部
３５ 第２脚部
３６ シール部材
３７ 空気抜き孔
３８ モルタル
３９ 型枠
４０ コンクリートの打設高さ
４１ ＰＣ壁パネル
４２ ＰＣ床パネル
４３ 止水構造体
４４ シール溝
４５ シール部材
４６ 止水構造体
４７ 固定金具
【図１】
0003920147.tif 000002
【図２】
0003920147.tif 000003
【図３】
0003920147.tif 000004
【図４】
0003920147.tif 000005
【図５】
0003920147.tif 000006
【図６】
0003920147.tif 000007
【図７】
0003920147.tif 000008
【図８】
0003920147.tif 000009
【図９】
0003920147.tif 000010